(57)【要約】  【課題】  引き寄せ金物と同様に引き寄せられ、柱を基礎コンクリートに固定できる装置を提供する。  【解決手段】  基礎コンクリートＢに該基礎コンクリートＢ上に設けた柱脚金物１を介して柱Ｐを固定するようにしたものであって、前記柱Ｐにその下面から挿入して組付け杆９を取付ける。該組付け杆９に縦設した雌螺子１３に締付けボルト１５を、前記柱脚金物１の前記柱Ｐの受支板７を通じて螺合する。そして、組付け杆９の下端に非円形状の鍔片９Ａを設け、該鍔片９Ａを柱脚金物１の受支板７に形成した、非円形状の嵌合部１４´に嵌合する。【選択図】    図１
2010248906.tif 000002
【特許請求の範囲】
【請求項１】
基礎コンクリートに該基礎コンクリート上に設けた柱脚金物を介して柱を固定するようにした柱の固定装置において、前記柱にその下面から挿入して組付け杆を取付け、該組付け杆に縦設した雌螺子に締付けボルトを前記柱脚金物の、前記柱の受支板を通じて螺合すると共に、前記組付け杆の下端に非円形状の鍔片を設け、該鍔片を柱脚金物の受支板に形成した、非円形状の嵌合部に嵌合した、木造建物における柱の固定装置。
【請求項２】
鍔片とボルト頭部との間に隙間が生じるように、組付け杆を柱に取付けた請求項１記載の木造建物における柱の固定装置。
【発明の詳細な説明】
【技術分野】
【０００１】
本発明は、概し、管柱や通し柱を、柱脚金物を用いて基礎コンクリートに固定するために適用する木造建物における柱の固定装置に関するものである。
【背景技術】
【０００２】
基礎コンクリート上に配した柱脚金物を介して柱を前記基礎コンクリートに固定することは、柱の基礎コンクリートに対する固定手段として一般に行われているところであるが、当該柱脚金物は、例えば、Ｚマーク表示金物の一つとして挙げられているもののように、受支板上に載置した柱の下部の相対する両側に、前記受支板に相対して立設した組付け板を配し、該組付け板と前記柱下部をこれらに貫通させたボルト先端にナットを螺合締付けるようにして用いるようになっている。
【発明の概要】
【発明が解決しようとする課題】
【０００３】
前記の従来例は、基礎コンクリートに固定した柱脚金物に柱を載置してボルトおよびナットによっていわば接続するだけであるから、柱と柱脚金物（基礎コンクリート）との接合強度は必ずしも万全とはいえず、このため、引き寄せ金物（ホールダウン金物）を別途用いて柱を基礎コンクリートに緊締させ、前記接合強度を確保しなければならないことがあり、従って、柱の固定装置としていわば二重の取付け作業を要する場合がある。本発明は、引き寄せ金物を用いたと同様に引き寄せ機能を備えた柱の固定装置を提供することを目的として創案したものである。
【課題を解決するための手段】
【０００４】
基礎コンクリートに該基礎コンクリート上に設けた柱脚金物を介して柱を固定するようにした柱の固定装置において、前記柱にその下面から挿入して組付け杆を取付け、該組付け杆に縦設した雌螺子に締付けボルトを前記柱脚金物の、前記柱の受支板を通じて螺合すると共に、組付け杆の下端に非円形状の鍔片を設け、該鍔片を柱脚金物の受支板に形成した、非円形状の嵌合部に嵌合したことを基本的手段とする。
【発明の効果】
【０００５】
本発明は前記の通りの構成であるから、柱脚金物を介して柱を基礎コンクリートに固定するに良好な、作業性の優れた装置を提供することができる。
【０００６】
また、ボルトを締付けることにより柱を固定するものであるから、柱を基礎コンクリート側に引き寄せられ、該引き寄せ状態を得るために一般に用いられている引き寄せ金物（ホールダウン金物）を必要としなくて済むことから実用的な装置を提供できる。
【図面の簡単な説明】
【０００７】
【図１】縦断面図。
【図２】図１のｂ−ｂ線断面図。
【実施例】
【０００８】
図面は本発明に係る柱の固定装置の実施例を示し、図１は縦断面図、図２は図１のｂ−ｂ線断面図である。
【０００９】
図中、Ｂは基礎コンクリートで、基礎コンクリートＢにはアンカー部を埋入して固装したアンカーボルトｂの螺杆部ｂ´を突設し、該螺杆部ｂ´を柱脚金物１の基板２に形成した透孔３に相対的に貫通させるようにして前記柱脚金物１を前記基礎コンクリートＢ上に載置し、該柱脚金物１は、基板２より突出する前記螺杆部ｂ´先端に固定ナット４をワッシャー５を介して螺合締付けることにより基礎コンクリートＢに固定してある。
【００１０】
柱脚金物１は、前記透孔３を中央に設けた方形状の前記基板２に横断面円弧状にした一対の支持板６，６を、円弧縁が対向方向に膨出するようにして相対して立設し、該支持板６，６上に受支板７を載置固定して構成したものである。
【００１１】
なお、支持板６を横断面円弧状すなわち屈曲形状にしたのは、受支板７を介する荷重の負荷に対処するためである。
【００１２】
そして、実施例は、柱Ｐの下面中央を開口して設けた縦穴８に組付け杆９を嵌挿し、該組付け杆９の側面に設けた透孔１０と前記柱Ｐに形成した貫通孔１１を互いに一致させ、これらにドリフトピン１２を嵌挿して前記組付け杆９を柱Ｐに固着し、該組付け杆９を利用して受支板７上に載置した柱Ｐを受支板７すなわち柱脚金物１に固定し、柱脚金物１を介して柱Ｐを前記基礎コンクリートＢに固定するようにしたものである。
【００１３】
なお、組付け杆９の柱Ｐに対する固定は、ドリフトピン１２を用いているが、該ドリフトピン１２に代えてボルトとこれに螺合するナットを用いても良く（いずれにしても、これら固定杆と前記透孔１０や貫通孔１１と組合わせることにより組付杆９の柱Ｐに対する取付け乃至固定作業を円滑に行え、かつ、柱Ｐとの相対的な回転を防ぐことができる）、組付け杆９は円筒体で構成しても良く、角筒体でも良く、また、中実体で構成しても、差し支えはない。
【００１４】
そして、組付け杆９の先端に角形状（非円形であれば良い）の鍔片９Ａを設け、鍔片９Ａを備えた組付け杆９を、貫通孔１１および透孔１０に挿通したドリフトピン１２で柱Ｐに固着し（組付け）、鍔片９Ａ部を柱Ｐの下面（縦穴８）より突出させ、この鍔片９Ａを、受支板７に設けた角孔（鍔片９Ａの輪郭形と一致する）１４´に嵌合し、締付けボルト１５を組付け杆９に設けた雌螺子１３に螺合締付けて、柱Ｐを受支板７に引き寄せ、固定したものである。そして、隙間１８´がボルト頭部１５ａ（ワッシャー１６）と鍔片９Ａその間に生じるように、組付け杆９を柱Ｐにドリフトピン１２を用いて固定してあり、この隙間１８´の存在により引き寄せ、固定が行われる。
【００１５】
すなわち、締付けボルト１５を締付けることにより組付け杆９を柱脚金物１（受支板７）側に引き寄せ、組付け杆９はドリフトピン１２を介して柱Ｐに組付けた状態にあるから、組付け杆９が引き寄せられると同時に、柱Ｐも柱脚金物１側に引き寄せられ、柱Ｐは柱脚金物１に緊結される。そして、組付け杆９に設けた鍔片９とボルト頭部１５ａとの間に隙間１８が生じるように組付け杆９は柱Ｐに固定されているため、組付け杆（金属製）９の規制を受けることなく、柱Ｐの下面はその木質により平滑に変形して受支板７に圧接して、尚一層強固な引き寄せ固定状態を得られるのである。
【００１６】
なお、経年変化によって仮に緩んでも、ボルト１５を増し締めすることにより、原状の引き寄せ固定状態を得られることはいうまでもない。
【００１７】
また、ボルト頭部１５ａが角孔１４´の径より小径であることからワッシャー１６を用いているが、径の関係を解決したものであればワッシャー１６は省略しても良いし、緩みを防ぐという意味ではワッシャー１６を用いた方が良い。
【００１８】
隙間１８´は締付けボルト１５（頭部１５ａ）の緊締受縁（実施例では受支板７の下面）と鍔片９Ａとの間にあれば良く、請求項でいう「鍔片とボルト頭部との間」とはこのような意味である。また、角形の鍔片９Ａを、受支板７に設けた非円形の角孔１４´に嵌合させていることにより、柱Ｐに回転方向の外力が負荷してもそれに追従することがなく、原状を維持する効果を期待できる。
【符号の説明】
【００１９】
Ｂ      基礎コンクリート
Ｐ      柱
１      柱脚金物
７      受支板
９      組付け杆
９Ａ    鍔片
１５    締付けボルト
１８´  隙間
【図１】
2010248906.tif 000003
【図２】
2010248906.tif 000004